(57)【要約】【課題】  簡素な構造で、リフレクタの反射面まで外光が届かなくても、ランプ内部を光り輝かせることができる自動車のランプ構造を提供する。【解決手段】  発光手段２と、発光手段２からの光を反射するリフレクタ１と、リフレクタ１の開口を覆うアウターレンズ４とを備えた自動車のランプ構造１０において、発光手段２とアウターレンズ４との間に第１のインナーレンズ３を備え、第１のインナーレンズ３が反射処理を施した複数の凸部３Ａを有し、凸部３Ａで外光を反射させる。凸部３Ａが傾斜面３Ａ１を有し、傾斜面３Ａ１に反射処理が施されている。【選択図】  図１
2006302782.tif 000002
【特許請求の範囲】
【請求項１】
発光手段と、該発光手段からの光を反射するリフレクタと、該リフレクタの開口を覆うアウターレンズとを備えた、自動車のランプ構造において、
上記発光手段と上記アウターレンズとの間に第１のインナーレンズを備え、
上記第１のインナーレンズが反射処理を施した複数の凸部を有し、
上記凸部により外光を反射させることを特徴とする、自動車のランプ構造。
【請求項２】
前記凸部が傾斜面を有し、該傾斜面に前記反射処理が施されていることを特徴とする、請求項１に記載の自動車のランプ構造。
【請求項３】
横方向に隣接する凸部同士が前記第１のインナーレンズの異なる高さ位置に配置されていることを特徴とする、請求項２に記載の自動車のランプ構造。
【請求項４】
前記反射処理がハーフアルミ蒸着であることを特徴とする、請求項１〜３の何れかに記載の自動車のランプ構造。
【請求項５】
前記第１のインナーレンズと前記アウターレンズとの間に、第２のインナーレンズを配設したことを特徴とする、請求項１〜４の何れかに記載の自動車のランプ構造。
【発明の詳細な説明】
【技術分野】
【０００１】
本発明は、自動車のヘッドランプやテールランプなどのランプの構造に関する。
【背景技術】
【０００２】
自動車のテールランプとして、近年、立体的な形状のインナーレンズをアウターレンズの内側に配設して、インナーレンズの立体感により見栄えを向上させたテールランプが知られている。
【０００３】
このようなテールランプ５０は、図１３に示すように、リフレクタ５１と、リフレクタ５１に取り付けたバルブ５２と、バルブ５２の前方に配置したインナーレンズ５３と、インナーレンズ５３を覆うようにリフレクタ５１に被着したアウターレンズ５４と、を備えている。
【０００４】
リフレクタ５１は鉢状に形成されており、リフレクタ内面はアルミ蒸着又は反射塗装などの反射処理を施した反射面として構成されている。また、アウターレンズ５４は、例えば透明なクリアレンズとして構成されている。このようなテールランプ５０は、日中において、自然光がリフレクタ５１の反射面で反射してインナーレンズ５３を照らし、インナーレンズ５３の形状を強調することができるようになっている。
【０００５】
このようにアウターレンズの内側にインナーレンズを配設したランプ構造が、特許文献１にも開示されている。
【特許文献１】特開平７−５７５１５号公報
【発明の開示】
【発明が解決しようとする課題】
【０００６】
しかしながら、図１３に示すような従来のランプ構造において、リフレクタ５１の奥行きが深いと、日中、外光がリフレクタ５１内の深く入った反射面にまで到達することができない。これにより、リフレクタ５１が部分的に光を反射することになり、インナーレンズ５３が十分に光り輝く程度に反射光が当たらない事態が生じる。この場合、インナーレンズ５３の立体的形状を外部に強調することができないことになる。
【０００７】
また、インナーレンズ５３を備えないランプ構造においても、リフレクタ５１の奥行きが深いと、日中、リフレクタ５１の反射面全体で自然光が反射する程度に外光が多く入ることは難しいので、そのようなランプにおいては、ランプ内部を十分に光り輝かせることができず、結果としてランプに上質感を持たせることができなかった。
【０００８】
本発明は、このような事情を鑑みて創作されたものであり、簡素な構造で、リフレクタの反射面まで外光が届かなくても、ランプ内部を光り輝かせることができる自動車のランプ構造を提供することを目的とする。
【課題を解決するための手段】
【０００９】
上記目的を達成するために、本発明は、発光手段と、この発光手段からの光を反射するリフレクタと、リフレクタの開口を覆うアウターレンズとを備えた自動車のランプ構造において、発光手段とアウターレンズとの間に第１のインナーレンズを備え、第１のインナーレンズが反射処理を施した複数の凸部を有し、これらの凸部により外光を反射させるようにしたことを特徴としている。
【００１０】
本発明の自動車のランプ構造においては、前記凸部が傾斜面を有し、該傾斜面に前記反射処理が施されている。好ましくは、横方向に隣接する凸部同士は第１のインナーレンズの異なる高さ位置に配置されている。即ち、一方の凸部が他方の凸部が設けられている第１のインナーレンズの高さ位置から外れるように、横方向に隣接する凸部同士がずれて配置されている。
【００１１】
本発明の自動車のランプ構造において、好ましくは、前記反射処理としてハーフアルミ蒸着が施されている。
【００１２】
本発明の自動車のランプ構造においては、第１のインナーレンズとアウターレンズとの間に、第２のインナーレンズを配設したことを特徴としている。好ましくは、凸部は反射処理を施していない素通し部によって囲まれている。
【発明の効果】
【００１３】
このように、本発明の自動車のランプ構造によれば、外光がランプ内に入ると、外光は第１のインナーレンズに当たる。そして、外光は第１のインナーレンズの凸部に施した反射処理の反射面によって反射する。ここで、外光は複数の凸部のそれぞれで反射する。
【００１４】
したがって、本発明によれば、リフレクタ内の奥深い箇所、即ちリフレクタの反射面にまで外光が入ることができなくても、この外光は第１のインナーレンズで反射することになり、ランプ内を光り輝かせることができる。
【００１５】
ランプが人の目の位置よりも低い位置で車輌に取り付けられる場合は、凸部に上向きの傾斜面を形成することで、車外の人の目に向けて外光を効率良く反射させることができるため、ランプを見た人にキラキラ又は燐光感を与えることができて、ランプの意匠，上質感を向上させることができる。
【００１６】
さらに、横方向に隣接する凸部同士を上下にずらして配置するため、外光を反射する面が多くなることで外光を反射させるランプ内のキラキラ感，輝きが増すことになる。
【００１７】
さらに、凸部に施す反射処理をハーフアルミ蒸着により半透過性を有するようにすることで、発光手段の発光時、即ち点灯時に、発光手段からの光が、第１のインナーレンズにおいて反射処理が施されていない素通し部ばかりか凸部の反射処理面をも通過することになり、光ムラができないように、発光手段の光を均一にすることができる。
【００１８】
前記第１のインナーレンズと前記第２のインナーレンズとの間に、第２のインナーレンズを配設している場合には、ランプ内に入った外光は、第１のインナーレンズで反射して第２のインナーレンズに照射される。これにより、第２のインナーレンズの形状が強調されることになる。
【発明を実施するための最良の形態】
【００１９】
以下、図面に基づいて本発明の実施形態を説明する。
図１は本発明の第一実施形態に係るランプ構造１０の分解斜視図であり、図２はランプ構造１０の模式的断面図である。ランプ構造１０は、リフレクタ１と、バルブ２と、第１のインナーレンズ３と、アウターレンズ４と、を備えている。
【００２０】
リフレクタ１は例えば鉢状に形成されており、その内面がアルミ蒸着，反射塗装，反射印刷などの反射処理が施されている。
【００２１】
バルブ２は、リフレクタ１内の深く入った箇所に設けたソケットに口金をねじ込んで、リフレクタ１に装着されるようなっている。なお、発光手段として、バルブ２の代わりに図３（Ａ）及び（Ｂ）に示すようなＬＥＤユニット２Ａ，２Ｂを用いることができる。
【００２２】
図３（Ａ）に示すＬＥＤユニット２Ａは、基板２Ａ１と、基板２Ａ１に取り付けた複数の発光ダイオード（ＬＥＤ：light-emitting diode）２Ａ２と、各ＬＥＤ２Ａ２と基板２Ａ１との間にそれぞれ配設した反射部材２Ａ３と、から構成されている。なお、各反射部材２Ａ３は、ＬＥＤ２Ａ２よりも幅広の凹面を有し、この凹面は、リフレクタ１の内面と同様に、アルミ蒸着，反射塗装，反射印刷などの反射処理が施されていてもよい。
【００２３】
また、図３（Ｂ）に示すＬＥＤユニット２Ｂは、基板２Ｂ１と、基板２Ｂ１に取り付けた複数のＬＥＤ２Ｂ２と、各ＬＥＤ２Ｂ２を覆うレンズ２Ｂ３と、から構成されている。なお、レンズ２Ｂ３は、各ＬＥＤ２Ｂ２を個別に覆うように各ＬＥＤ２Ｂ２に一つずつ製造されたものであったり、複数のＬＥＤ２Ｂ２をまとめて覆うものとして製造されたものであってもよい。
【００２４】
このようなＬＥＤユニット２Ａ，２Ｂをリフレクタ１に装着するために、上記ソケットの代わりに、例えば、基板２Ａ１，２Ｂ１を固定するための取付プレートがリフレクタ１内の深く入った箇所に設けられている。そして、例えば、取付プレートと基板２Ａ１，２Ｂ１とに形成されたネジ穴にネジを螺着することで、基板２Ａ１，２Ｂ１を取付プレートに固定することができる。
【００２５】
次に、アウターレンズ４は、ランプ前方に向けて拡開したリフレクタ１の開口を塞ぐように、アウターレンズ４の縁をリフレクタ１の縁に重ね合わせてリフレクタ１に被着している。なお、アウターレンズ４は、例えば透明なクリアレンズとして構成されている。
【００２６】
本発明の第１実施形態に係るランプ構造１０においては、第１のインナーレンズ３はバルブ２とアウターレンズ４との間に配置されている。
第１のインナーレンズ３は、アウターレンズ４とリフレクタ１とで画成される空間を仕切るように、リフレクタ１の開口面積程度の大きさに形成されている。そして、第１のインナーレンズ３は、例えば、図２に示すように、リフクレタ１の開口から内側へ少し入った位置、即ち、リフレクタ１の開口縁付近に配置されている。
【００２７】
さらに、第１のインナーレンズ３は、外光が入射する面、即ち、前面に、外光を反射する複数の凸部３Ａと、バルブ２及びリフレクタ１の反射面からの光が透過する複数の素通し部３Ｂと、を有する。
【００２８】
各凸部３Ａは、ランプ前方に向けて突出するように形成され、この凸部３Ａの前方に張り出した上面に、アルミ蒸着，反射塗装，反射印刷などの反射処理が施されている。尚、図１に示す第１のインナーレンズ３の各凸部３Ａは、縦断面が略三角形状に形成されていて、上向きに傾斜した傾斜面３Ａ１を設け、この傾斜面３Ａ１に上記反射処理が施されている。このようなアルミ蒸着等により外光が反射して、ランプを見た人にキラキラ感を与えることができる。よって、ランプの見栄えや上質感の向上を図れる。
【００２９】
また、第１のインナーレンズ３に設ける複数の凸部３Ａは、好ましくは、横に隣接する凸部同士の位置を上下にずらして配置されている。このようにすると、反射面の数が多くなり、外光を広範囲に反射させることができて、キラキラ感が増すことになる。
【００３０】
また、凸部３Ａは、図１に示すように縦断面が三角形状に形成したものに限られるものではなく、図４に示すように半球状に形成したり、図５に示すように前方に頂点を突出させた四角錐状に形成したり、図示を省略するが、三角錐状、角柱状，略円柱状に形成されたものであってもよい。図４及び図５等に示す凸部３Ａも、前方に張り出した表面に反射処理が施されている。
【００３１】
次に、各素通し部３Ｂは、第１のインナーレンズ３において反射処理を施していない部位であり、日中は、入射した外光は、素通し部３Ｂを通ってリフレクタ１内に進入し、夜間においては、バルブ２からの光が素通し部３Ｂを通ってランプ外に放たれるようになっている。
【００３２】
このような凸部３Ａと素通し部３Ｂとが設けられる第１のインナーレンズ３は、図６に示すように、幅中心部分が最も前方に位置する平板状の第１プレート部３１と、第１プレート部３１と段差３１Ａを介して繋がっており第１プレート部３１から後方にずれた位置で横幅方向に延びている平板状の第２プレート部３２と、同様に、第２プレート部３２と段差３２Ａを介して繋がっており第２プレート部３２から後方にずれた位置で横幅方向に延びている平板状の第３プレート部３３と、から構成されている。なお、段差の数は、図６に示す例に限られるものではない。
【００３３】
このような段差を有する第１のインナーレンズ３の斜視図を図７に示す。図７においては、各第１プレート部３１〜第３プレート部３３に、それぞれ複数の凸部３Ａが設けられている。具体的には、第１プレート部３１においては、複数の凸部３Ａが上下１列に並んで配置されている。また、第２プレート部３２及び第３プレート部３３においては、複数の凸部３Ａが上下方向に二列に並んで、左右に隣接する凸部３Ａの位置を上下にずらして配置している。
【００３４】
そして、図７に斜線で示す部分が、各凸部３Ａの反射処理が施された傾斜面３Ａ１であり、斜線以外の箇所が素通し部３Ｂである。ここで、図８は、図７のＡ−Ａ線断面図である。図７及び図８に示すように、第１のインナーレンズ３において凸部３Ａが形成されていない平らなレンズ面だけでなく、反射処理が施されていない各凸部３Ａの壁面も、素通し部３Ｂである。なお、図７に示す第１のインナーレンズ３において、凸部３Ａが形成されていない箇所における素通し部３Ｂは、凸部３Ａの幅程度の横幅を有し、上下に一続きになった細幅の筋状の部分として形成されている。
【００３５】
このように、素通し部３Ｂを所定の幅を有する筋状部分として第１のインナーレンズ３の凸部３Ａが形成されていない箇所に形成する場合の他に、図４及び図５に示したように各凸部３Ａの周囲を囲うようにこの素通し部３Ｂを設定してもよい。このように、凸部３Ａと素通し部３Ｂとを交互に配設すると、バルブ２からの光の多くを第１のインナーレンズ３を透過させて第１のインナーレンズ３の前方へ出射することができる。
なお、図８に示すように、第１のインナーレンズ３の裏面には、バルブ２からの光を屈折させて拡散させるために複数のレンズステップ３Ｃが形成されている。
【００３６】
また、第１のインナーレンズ３の形状としては、図９に示すように、横幅の中心部分から左右の端にいくにつれて後方にずれるように、断面が弧状のものとして形成されていてもよい。このような第１のインナーレンズ３においても、湾曲した前面に、複数の凸部３Ａが設けられる。さらに、第１のインナーレンズ３は、段差を有する形状や湾曲形状の他に、図１０に示すように平板状のものであってもよい。
【００３７】
このように構成されたランプ構造１０は、テールランプとして利用する場合、車両後端部に形成されたランプ取付用のハウジングに取り付けられて使用に供される。また、ヘッドランプとして使用する場合は、車両前端部に形成されたランプ取付用のハウジングに取り付けられるようになっている。
【００３８】
次に、このように構成されたランプ構造１０の作用について説明する。
例えば、日が出ている間において、外光がランプ内に入ると、外光は第１のインナーレンズ３に当たる。そして、外光は、第１のインナーレンズ３の複数の凸部３Ａの傾斜面３Ａ１にて反射する。なお、日中に限らず、夜間においても、他の車両のライトがランプ内に入ると、第１のインナーレンズ３でこのライトは反射する。
また、夜間においては、バルブ２からの光は、第１のインナーレンズ３の素通し部３Ｂを直接通って、或いはリフレクタ１で反射してから素通し部３Ｂを通って、ランプ外へ出射される。
【００３９】
このように、本発明の第一実施形態に係るランプ構造１０によれば、ランプ内に反射板としての第１のインナーレンズ３をバルブ２の前方位置に配設しているので、リフレクタ１内の奥深い箇所、即ちリフレクタ１の反射面にまで外光が入ることができなくても、該外光は第１のインナーレンズ３で反射することになり、ランプ内を光り輝かせることができる。
【００４０】
各傾斜面３Ａ１が傾斜しているので、反射面の面積を大きくすることができ、日光等の外光を効率良く反射させて、ランプ内を輝かせることができる。
【００４１】
また、各凸部３Ａの傾斜面３Ａ１が異なるように傾斜角度が設定されていれば、光の散乱方向が広がり、これによっても、ランプ内を十分に光り輝かせることができる。
また、第１のインナーレンズ３が、図２に示すように、リフクレタ１内へ外から少し入った位置、即ちリフレクタ１の開口縁付近に配置されているので、アウターレンズ４を透過した外光の殆どを第１のインナーレンズ３で反射させることができることから、ランプ内を十分に輝かせることができる。
【００４２】
次に、本発明の第二の実施形態に係るランプ構造を説明する。
図１１は本発明の第二の実施形態に係るランプ構造２０の分解斜視図であり、図１２はその模式的断面図である。第一実施形態と実質的に同一または対応する部材には同一符号を用いて、その詳細な説明は省略する。
【００４３】
本発明の第二の実施形態に係るランプ構造２０は、前述のランプ構造１０と異なり、アウターレンズ４と第１のインナーレンズ３との間に第２のインナーレンズ５を配設したことを特徴としている。
【００４４】
第２のインナーレンズ５は、ランプの見栄えを向上させるための部材であり、立体的に形成されている。例えば、図示では、第２のインナーレンズ５は半円筒径状に形成されており、バルブ２側である裏面には上下に延びた複数のレンズステップ５Ａが横に並んで形成されている。
【００４５】
このようなランプ構造２０においても、前述のランプ構造１０と同様に、ランプ内に入った外光は第１のインナーレンズ３で反射されることになる。そして、第１のインナーレンズ３で反射した光が第２のインナーレンズ５に照射される。これにより、第２のインナーレンズ５の形状を意識的に強調させることができる。
【００４６】
以上説明したが、本発明は発明の趣旨を逸脱しない範囲において様々な形態で実施できる。例えば、上述の説明におけるリフレクタ１，第１のインナーレンズ３，第２のインナーレンズ５，アウターレンズ４の形状は図示や説明した例に限定されるものではないことは勿論である。また、凸部３Ａの形状も上述した以外の形状であってもよい。
【００４７】
さらに、上記説明では、凸部３Ａと素通し部３Ｂとが第１のインナーレンズ３のアウターレンズ４側の面に設けられる場合を説明したが、凸部３Ａと素通し部３Ｂとは、第１のインナーレンズ３のバルブ２側の面に設けて、本発明のランプ構造１０，２０は構成することもできる。
【００４８】
さらに、凸部３Ａに施す反射処理をハーフアルミ蒸着（半透過）にすることで、バルブ２の発光を均一にすることができる。
【図面の簡単な説明】
【００４９】
【図１】本発明の第一実施形態に係るランプ構造を示す分解斜視図である。
【図２】本発明の第一実施形態に係るランプ構造の模式的断面図である。
【図３】（Ａ）及び（Ｂ）は、それぞれ、本発明の第一及び第二の実施形態に係るＬＥＤユニットを示す斜視図である。
【図４】本発明の第一及び第二の実施形態に係る凸部の他の形状例を示す図である。
【図５】本発明の第一及び第二の実施形態に係る凸部の他の形状例を示す図である。
【図６】本発明の第一及び第二の実施形態に係る第１のインナーレンズを示す平面図である。
【図７】図６の第１のインナーレンズの部分斜視図である。
【図８】図７のＡ−Ａ線断面図である。
【図９】本発明の第一及び第二の実施形態に係る第１のインナーレンズの変形例を示す平面図である。
【図１０】本発明の第一及び第二の実施形態に係る第１のインナーレンズの他の変形例を示す平面図である。
【図１１】本発明の第二の実施形態に係るランプ構造を示す分解斜視図である。
【図１２】本発明の第二の実施形態に係るランプ構造の模式的断面図である。
【図１３】従来のテールランプの模式的断面図である。
【符号の説明】
【００５０】
１０，２０  ランプ構造
１  リフレクタ
２  バルブ
２Ａ，２Ｂ  ＬＥＤユニット
２Ａ１，２Ｂ１  基板
２Ａ２，２Ｂ２  ＬＥＤ
２Ａ３  反射部材
２Ｂ３  レンズ
３  第１のインナーレンズ
３Ａ  凸部
３Ａ１  傾斜面
３Ｂ  素通し部
３Ｃ，５Ａ  レンズステップ
３１  第１プレート部
３１Ａ，３２Ａ  段差
３２  第２プレート部
３３  第３プレート部
４  アウターレンズ
５  第２のインナーレンズ
【図１】
2006302782.tif 000003
【図２】
2006302782.tif 000004
【図３】
2006302782.tif 000005
【図４】
2006302782.tif 000006
【図５】
2006302782.tif 000007
【図６】
2006302782.tif 000008
【図７】
2006302782.tif 000009
【図８】
2006302782.tif 000010
【図９】
2006302782.tif 000011
【図１０】
2006302782.tif 000012
【図１１】
2006302782.tif 000013
【図１２】
2006302782.tif 000014
【図１３】
2006302782.tif 000015